(57)【要約】【課題】独立した複数の誘導加熱調理器間においても総電力量が最大出力制限内で可能な限り使用者の要求する出力レベルの加熱調理ができる誘導加熱調理器を提供すること。【解決手段】接続された複数個の誘導加熱調理器９ａ、９ｂ、９ｃの総電力量を制御する脱着可能な電力制御手段８とを備え、複数個の誘導加熱調理器９ａ、９ｂ、９ｃ各々の電力量を取得して最大電力範囲内に総電力量を制御するとすることにより、独立した複数の誘導加熱調理器９ａ、９ｂ、９ｃを同時に使用した場合でも、さらに誘導加熱調理器９ａ、９ｂ、９ｃを追加した場合でも、電力制御手段を取り付けた時点より、電力量の制限を行い合計の電力量が電力制御手段で規定した最大電力範囲を超えることがなく使用可能となる。【選択図】図１
2009272269.tif 000002
【特許請求の範囲】
【請求項１】
調理物を加熱する調理容器と、前記調理容器を載置するトッププレートと、前記調理容器を加熱するために誘導磁界を発生させる加熱コイルと、前記加熱コイルを駆動するインバータ回路と、前記調理容器の加熱電力量を制御する制御手段とを含む誘導加熱装置と、前記誘導加熱装置をオンオフあるいは出力レベルを変更するための情報を与える操作手段と、前記誘導加熱装置のオンオフあるいは出力レベルを表示する表示手段と、接続された複数個の誘導加熱調理器の総電力量を制御する脱着可能な電力制御手段とを備え、複数個の前記誘導加熱調理器各々の電力量を取得して最大電力範囲内に総電力量を制御する構成とした誘導加熱調理器。
【請求項２】
電力制御手段は、接続されたどれか一つの誘導加熱調理器が動作していれば稼動するとした請求項１に記載の誘導加熱調理器。
【請求項３】
電力制御手段は、パルス出力値として各誘導加熱調理器の電力量を受信できるとした請求項１または２に記載の誘導加熱調理器。
【請求項４】
電力制御手段は、電圧値として各誘導加熱調理器の電力量を受信できるとした請求項１または２に記載の誘導加熱調理器。
【請求項５】
電力制御手段は、制限する電力量情報をパルス出力値として各誘導加熱調理器に発信できるとした請求項１〜４のいずれか１項に記載の誘導加熱調理器。
【請求項６】
電力制御手段は、制限する電力量情報を電圧値として各誘導加熱調理器に発信できるとした請求項１〜４のいずれか１項に記載の誘導加熱調理器。
【請求項７】
電力制御手段は、全ての誘導加熱調理器に同一の制限する電力量情報を発信するとした請求項１〜６のいずれか１項に記載の誘導加熱調理器。
【請求項８】
電力制御手段は、最大電力量設定を複数段階切り換え可能とした請求項１〜７のいずれか１項に記載の誘導加熱調理器。
【請求項９】
制御手段は、電力制御手段からの制限電力量が軽減側に変化したときに最初の設定出力レベル以下の範囲内で最大出力となるように出力レベルを変更するとした請求項１〜８のいずれか１項に記載の誘導加熱調理器。
【発明の詳細な説明】
【技術分野】
【０００１】
本発明は独立した複数個の誘導加熱調理器の総入力電力が所定の値を越えないようにした誘導加熱調理器に関するものである。
【背景技術】
【０００２】
従来、この種の誘導加熱調理器は鍋等を加熱する加熱コイルと、前記加熱コイルを駆動するインバータ回路と、前記インバータ回路で前記加熱コイルの出力を複数段階に制御する制御手段とを各々含む複数の誘導加熱装置と、各々の前記誘導加熱装置を個々にオンオフするあるいは出力レベルを変更するための操作手段とを備えたものがある。
【０００３】
前記操作手段は、所定の複数の誘導加熱装置がオンした時、オン状態にある全ての誘導加熱装置について個々の最大出力レベルを、前記複数段階の最大出力レベルより１段階以上小さい出力レベルに制限する。
【０００４】
そして、オン状態にある誘導加熱装置の個々の最大出力レベルを全て制限する時、制限された出力レベルより小さいレベルへの変更のみ受け付けるようにし、最大出力レベルが制限された後に、その制限条件がなくなっても、そのときの出力レベルを維持するようにして、総電力量の抑制時に調理性能への影響を最小限にし、安全性の確保を図っているものがある（例えば、特許文献１参照）。
【特許文献１】特開２００２−１９０３７６号公報
【発明の開示】
【発明が解決しようとする課題】
【０００５】
しかしながら、前記従来の構成では、誘導加熱調理器内での複数の誘導加熱装置に対する総電力量の抑制は可能なものの、複数個の誘導加熱調理器の使用状態にもとづいて各々の電力量を抑制しつつ総電力量の抑制ができないという課題を有していた。
【０００６】
本発明は、前記従来の課題を解決するもので、独立した誘導加熱調理器を複数使用した場合でも、さらに誘導加熱調理器を追加した場合でも、電力制御手段を取り付けた時点より、総電力量への最大出力制限の解除や変化に対し、常に使用者の望む出力レベルに可能な限り近い出力レベルに切り替わるので、調理性能への影響を最小限にした上で、調理の出来栄えの向上、調理時間の短縮、使い勝手の向上を行った誘導加熱調理器を提供することを目的とする。
【課題を解決するための手段】
【０００７】
前記従来の課題を解決するために、本発明の誘導加熱調理器は、調理物を加熱する調理容器と、前記調理容器を載置するトッププレートと、前記調理容器を加熱するために誘導磁界を発生させる加熱コイルと、前記加熱コイルを駆動するインバータ回路と、前記調理容器の加熱電力量を制御する制御手段とを含む誘導加熱装置と、前記誘導加熱装置をオンオフあるいは出力レベルを変更するための情報を与える操作手段と、前記誘導加熱装置のオンオフあるいは出力レベルを表示する表示手段と、接続された複数個の誘導加熱調理器の総電力量を制御する脱着可能な電力制御手段とを備え、複数個の前記誘導加熱調理器各々の電力量を取得して最大電力範囲内に総電力量を制御するとしたものである。
【０００８】
これによって、独立した複数の誘導加熱調理器を同時に使用した場合でも、さらに誘導加熱調理器を追加した場合でも、電力制御手段を取り付けた時点より、各々の誘導加熱調理器の電力量の制限を行い、複数の誘導加熱調理器の合計の電力量が電力制御手段で規定
した最大電力範囲を超えることがなくなることとなる。
【発明の効果】
【０００９】
本発明の誘導加熱調理器は、独立した誘導加熱調理器を複数使用した場合でも、さらに誘導加熱調理器を追加した場合でも、電力制御手段を取り付けた時点より、総電力量への最大出力制限の解除や変化に対し、常に使用者の望む出力レベルに可能な限り近い出力レベルに切り替わるので、調理性能への影響を最小限にした上で、調理の出来栄えの向上、調理時間の短縮、使い勝手の向上を行う事ができる。
【発明を実施するための最良の形態】
【００１０】
第１の発明は調理物を加熱する調理容器と、前記調理容器を載置するトッププレートと、前記調理容器を加熱するために誘導磁界を発生させる加熱コイルと、前記加熱コイルを駆動するインバータ回路と、前記調理容器の加熱電力量を制御する制御手段とを含む誘導加熱装置と、前記誘導加熱装置をオンオフあるいは出力レベルを変更するための情報を与える操作手段と、前記誘導加熱装置のオンオフあるいは出力レベルを表示する表示手段と、接続された複数個の誘導加熱調理器の総電力量を制御する脱着可能な電力制御手段とを備え、複数個の前記誘導加熱調理器各々の電力量を取得して最大電力範囲内に総電力量を制御するとすることにより、独立した複数の誘導加熱調理器を同時に使用した場合でも、さらに誘導加熱調理器を追加した場合でも、電力制御手段を取り付けた時点より、各々の誘導加熱調理器の電力量の制限を行い、複数の誘導加熱調理器の合計の電力量が電力制御手段で規定した最大電力範囲を超えることがなくなることとなり、総電力量が最大出力制限を超えないようにしつつ、調理性能への影響を最小限にした上で、調理の出来栄えの向上及び調理時間の短縮を低予算で簡単に行う事ができる。
【００１１】
第２の発明は、特に、第１の発明の電力制御手段を接続されたどれか一つの誘導加熱調理器が動作していれば稼動することにより、電力制御手段を稼動させる為に決まった誘導加熱調理器を動かす必要がなくなることとなり、どの誘導加熱調理器を使用しても複数の誘導加熱調理器の合計の総電力量が最大出力制限を超えずに調理することが可能となる。
【００１２】
第３の発明は、特に、第１または２の発明の電力制御手段をパルス出力値として各誘導加熱調理器からの電力量を受信できるとすることにより、非加熱中はパルス出力値が無、加熱中で火力が上昇するほどパルスのＯＮ幅を長くするとし、また使用されていない受信入力はパルス出力値が無と同値とし、パルス出力値を変換すれば、各誘導加熱調理器の電力量を取得することとなり、接続されている誘導加熱調理器に対する精度ある電力情報の取得が可能となる。
【００１３】
第４の発明は、特に、第１または２の発明の電力制御手段を電圧値として各誘導加熱調理器の電力量を受信できるとすることにより、非加熱中は電圧０Ｖ、加熱中で火力が上昇するほど電圧を高くするとし、また使用されていない受信入力は電圧０Ｖと同値とし、電圧値を変換すれば、各誘導加熱調理器の電力量を取得することとなり、接続されている誘導加熱調理器に対するリニアな精度ある電力情報の取得が可能となる。
【００１４】
第５の発明は、特に、第１〜４のいずれか１つの発明の電力制御手段を制限する電力量情報をパルス出力値として各誘導加熱調理器に発信できるとすることにより、制限無の時はパルスのＯＮ幅を最長とし、制限電力が低くなるに従いパルスのＯＮ幅を短くしていくとし、パルス出力値を変換すれば、各誘導加熱調理器への制限電力量を取得することとなり、精度ある制限電力情報の取得が可能となる。
【００１５】
第６の発明は、特に、第１〜４のいずれか１つの発明の電力制御手段を制限する電力量情報を電圧値として各誘導加熱調理器に発信できるとすることにより、制限無の時は最大
電圧値とし、制限電力が低くなるに従い電圧値を低くしていくとし、電圧値を変換すれば、各誘導加熱調理器への制限電力量を取得することとなり、リニアに精度ある制限電力情報の取得が可能となる。
【００１６】
第７の発明は、特に、第１〜６のいずれか１つの発明の電力制御手段を全ての誘導加熱調理器に同一の制限する電力量情報を発信するとすることにより、各誘導加熱調理器への接合部以外は共通化できることとなり、電力制御手段内の制限電力量送信の配線部のパターンを簡素化及び少スペース化することができる。
【００１７】
第８の発明は、特に、第１〜７のいずれか１つの発明の電力制御手段を最大電力量設定を複数段階切り換え可能とすることにより、最大電力範囲を大きくしたり、小さくしたりすることが可能となり、使用者の電力事情の変化に素早く対応することができる。
【００１８】
第９の発明は、特に、第１〜８のいずれか１つの発明の制御手段を電力制御手段からの制限電力量が軽減側に変化したときに最初の設定出力レベル以下の範囲内で最大出力となるように出力レベルを変更するとすることにより、最大出力制限の範囲内で、元々必要な出力レベルにより近い出力レベルでの加熱調理が可能となり、総電力量が最大出力制限を超えないようにしつつ、調理性能への影響を最小限にした上で調理の出来の向上及び調理時間の短縮を行う事ができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における誘導加熱調理器のブロック図、図２は本発明の実施の形態１における誘導加熱調理器の動作を示すフローチャートである。
【００２１】
図１において、調理物を加熱する調理容器１ａ、１ｂ、１ｃと、前記調理容器１ａ、１ｂ、１ｃを載置するトッププレート２ａ、２ｂ、２ｃと、前記調理容器１ａ、１ｂ、１ｃを加熱するために誘導磁界を発生させる加熱コイル３ａ、３ｂ、３ｃと、前記加熱コイル３ａ、３ｂ、３ｃを駆動するインバータ回路４ａ、４ｂ、４ｃと、前記調理容器１ａ、１ｂ、１ｃの加熱電力量を制御する制御手段５ａ、５ｂ、５ｃとを含む誘導加熱装置と、前記誘導加熱装置をオンオフあるいは出力レベルを変更するための情報を与える操作手段６ａ、６ｂ、６ｃと、オンオフあるいは出力レベルを表示する表示手段７ａ、７ｂ、７ｃと、接続された複数個の誘導加熱調理器Ａ、Ｂ、Ｃの総電力量を制御する脱着可能な電力制御手段８とを備えている。
【００２２】
また、誘導加熱調理器Ａ、誘導加熱調理器Ｂ、誘導加熱調理器Ｃとし、電力制御手段８は誘導加熱調理器Ｂから電源供給されているものとする。
【００２３】
以上のように構成された誘導加熱調理器について、以下その動作、作用について図２を用いて説明する。
【００２４】
まず、誘導加熱調理器Ｂを商用電源９ｂに接続し、電源スイッチ１０ｂをオンする。それにより、電力制御手段８が動作可能状態になる。
【００２５】
調理物を入れた鍋などの調理容器１ｂをトッププレート２ｂ上に載せ、操作手段６ｂを用いて調理加熱設定を行い、操作手段６ｂは制御手段５ｂに調理加熱設定での火力情報を発信し、制御手段５ｂは電力制御手段８にパルス出力値や電圧値としてその火力での使用電力値を送信し、加熱を行うよう要求を出す（ステップＳ１）。
【００２６】
電力制御手段８はその火力が最大出力制限範囲内になるかどうか判断する（ステップＳ２）。
【００２７】
最大出力制限範囲内であれば、その加熱設定に見合った電力制御をするように、電力制御手段８は制御手段５ｂに出力可能電力値をパルス出力値や電圧値などの形で発信し、制御手段５ｂはその情報を加味してインバータ回路４ｂ及び加熱コイル３ｂに電力を供給し、そのまま加熱調理を開始する。
【００２８】
電力制御手段８が最大出力制限範囲を超えてしまうと判断した場合は、最大出力制限範囲内になるまで火力の下げ量を算出し（ステップＳ３）、最大出力制限範囲内になった時点で制御手段５ｂに出力可能電力値をパルス出力値や電圧値などの形で発信し、制御手段５ｂはその情報を加味してインバータ回路４ｂ及び加熱コイル３ｂに電力を供給し、加熱調理を開始する（ステップＳ４）。
【００２９】
次に、誘導加熱調理器Ｃを商用電源９ｃに接続し、電源スイッチ１０ｃをオンする。調理物を入れた鍋などの調理容器１ｃをトッププレート２ｃ上に載せ、操作手段６ｃを用いて調理加熱設定を行い、操作手段６ｃは制御手段５ｃに調理加熱設定での火力情報を発信し、制御手段５ｃは電力制御手段８にパルス出力値や電圧値としてその火力での使用電力値を送信し、加熱を行うよう要求を出す（ステップＳ５）。
【００３０】
電力制御手段８は誘導加熱調理器Ｂ及び誘導加熱調理器Ｃの火力が最大出力制限範囲内になるかどうか判断する（ステップＳ６）。
【００３１】
最大出力制限範囲内であれば、その加熱設定に見合った電力制御をするように、電力制御手段８は制御手段５ｃに出力可能電力値をパルス出力値や電圧値などの形で発信し、制御手段５ｃはその情報を加味してインバータ回路４ｃ及び加熱コイル３ｃに電力を供給し、そのまま加熱調理を開始する。
【００３２】
電力制御手段８が最大出力制限範囲を超えてしまうと判断した場合は、最大出力制限範囲内になるまで誘導加熱調理器Ｃの火力及び誘導加熱調理器Ｂの火力の下げ量を算出し（ステップＳ７及びステップＳ８）、最大出力制限範囲内になった時点で誘導加熱調理器Ｂの制御手段５ｂに出力可能電力値をパルス出力値や電圧値などの形で発信し、制御手段５ｂはその情報を加味してインバータ回路４ｂ及び加熱コイル３ｂに電力を供給し（ステップＳ９）、誘導加熱調理器Ｃの制御手段５ｃも電力制御手段８よりパルス出力値や電圧値などの形で発信された出力可能電力値をもとにインバータ回路４ｃ及び加熱コイル３ｃに電力を供給し、加熱調理を開始する（ステップＳ１０）。
【００３３】
さらに、誘導加熱調理器Ａを商用電源９ａに接続し、電源スイッチ１０ａをオンする。調理物を入れた鍋などの調理容器１ａをトッププレート２ａ上に載せ、操作手段６ａを用いて調理加熱設定を行い、操作手段６ａは制御手段５ａに調理加熱設定での火力情報を発信し、制御手段５ａは電力制御手段８にパルス出力値や電圧値としてその火力での使用電力値を送信し、加熱を行うよう要求を出す（ステップＳ１１）。
【００３４】
電力制御手段８は誘導加熱調理器Ａ及び誘導加熱調理器Ｂ及び誘導加熱調理器Ｃの火力が最大出力制限範囲内になるかどうか判断する（ステップＳ１２）。
【００３５】
最大出力制限範囲内であれば、その加熱設定に見合った電力制御をするように、電力制御手段８は制御手段５ａに出力可能電力値をパルス出力値や電圧値などの形で発信し、制御手段５ａはその情報を加味してインバータ回路４ａ及び加熱コイル３ａに電力を供給し
、そのまま加熱調理を開始する。
【００３６】
電力制御手段８が最大出力制限範囲を超えてしまうと判断した場合は、最大出力制限範囲内になるまで誘導加熱調理器Ａの火力及び誘導加熱調理器Ｂの火力及び誘導加熱調理器Ｃの火力の下げ量を算出し（ステップＳ１３〜１５）、最大出力制限範囲内になった時点で誘導加熱調理器Ｂの制御手段５ｂに出力可能電力値をパルス出力値や電圧値などの形で発信する。
【００３７】
制御手段５ｂはその情報を加味してインバータ回路４ｂ及び加熱コイル３ｂに電力を供給し（ステップＳ１８）、誘導加熱調理器Ｃの制御手段５ｃに出力可能電力値を発信し、制御手段５ｃはその情報を加味してインバータ回路４ｃ及び加熱コイル３ｃに電力を供給し（ステップＳ１９）、誘導加熱調理器Ａの制御手段５ａも電力制御手段８より発信された出力可能電力値をもとにインバータ回路４ａ及び加熱コイル３ａに電力を供給し、加熱調理を開始する（ステップＳ２０）。
【００３８】
誘導加熱調理器Ａの火力及び誘導加熱調理器Ｂの火力及び誘導加熱調理器Ｃの火力の下げ量を算出しても最大出力制限範囲内に収まらない（ステップＳ１６）場合には、誘導加熱調理器Ａの加熱不可情報を発信する（ステップＳ１７）。
【００３９】
以上のように、本実施の形態においては、最初の設定出力レベル以下の範囲内で最大出力レベルとなるように電力制御手段８が総電力量を再計算して出力レベルを変更する指示を制御手段５ａ、５ｂ、５ｃに出すことにより、最大出力制限の範囲内で、元々必要な出力レベルにより近い出力レベルでの加熱調理が可能となり、総電力量が最大出力制限を超えないようにしつつ、調理性能への影響を最小限にした上で調理の出来の向上及び調理時間の短縮を行う事ができる。
【００４０】
また、本実施の形態の電力制御手段８が脱着可能な構成であることにより、最大電力量設定の選択や誘導加熱調理器の最大接続数の選択などを電力制御手段８の取り換えにて実現できることとなり、使用者の環境に応じて最適な設定を行うことが低予算で容易に可能となる。
【００４１】
また、本実施の形態では、電力制御手段８を接続されたどれか一つの誘導加熱調理器が動作していれば稼動する（すなわち接続された誘導加熱調理器により電源供給を受け、動作可能状態となる）とすることにより、例えば誘導加熱調理器Ｃを商用電源９ｃに接続し、電源スイッチ１０ｃをオンした時でも電源供給を受け、電力制御手段８が動作可能状態で総電力量の監視ができる状態となる。
【００４２】
その後、誘導加熱調理器Ａも商用電源９ａに接続し、電源スイッチ１０ａをオンし、誘導加熱調理器Ａ及びＣで調理開始した場合に最大出力制限を超えない総電力量調整を行い、必ず誘導加熱調理器Ｂの電源スイッチ１０ｂをオンした状態でないと最大出力制限が働かないということがなくなり、どの誘導加熱調理器を使用しても総電力量が最大出力制限を超えずに調理することが可能となる。
【産業上の利用可能性】
【００４３】
以上のように、本発明にかかる誘導加熱調理器は、独立した誘導加熱調理器を複数使用した場合でも、さらに誘導加熱調理器を追加した場合でも、電力制御手段を取り付けた時点より、総電力量への最大出力制限の解除や変化に対し、常に使用者の望む出力レベルに可能な限り近い出力レベルに切り替わるので、調理性能への影響を最小限にした上で、調理の出来栄えの向上、調理時間の短縮、使い勝手の向上を図るが可能となるので、独立した調理器を複数使用して総電力量への最大出力制限により出力レベルを切り替えるような
その他の各種の調理器等の用途にも適用できる。
【図面の簡単な説明】
【００４４】
【図１】本発明の実施の形態１における誘導加熱調理器のブロック図
【図２】本発明の実施の形態１における誘導加熱調理器の動作を示すフローチャート
【符号の説明】
【００４５】
１ａ、１ｂ、１ｃ  調理容器
２ａ、２ｂ、２ｃ  トッププレート
３ａ、３ｂ、３ｃ  加熱コイル
４ａ、４ｂ、４ｃ  インバータ回路
５ａ、５ｂ、５ｃ  制御手段
６ａ、６ｂ、６ｃ  操作手段
７ａ、７ｂ、７ｃ  表示手段
８  電力制御手段
【図１】
2009272269.tif 000003
【図２】
2009272269.tif 000004